(57)【要約】【課題】商品販売における、万引き被害の削減、販売スペースの省スペース化、商品陳列・商品販売にかかる労働力の削減【解決手段】販売スペースには、商品をひとつだけ展示し、その他のすべての在庫は倉庫スペースに保管し、展示された商品の近くにその商品を識別するカードを置く。消費者は商品の変わりにそのカードをレジまで運び、そこに設置されたコンピューターにそのカードを投入することで会計がコンピューターによってなされ、同時にそのコンピューターは倉庫にあるコンピューターに指示を送り、倉庫にあるコンピューターは指示された商品のみを設置されたベルトコンベアーに流し、商品はレジ横の商品受け取り口まで運ばれる。そのように商品の販売を行うことで上記の課題を解決する。【選択図】　図６
2004086820.tif 000002
【特許請求の範囲】
【請求項１】
販売スペースに販売する商品の代わりにその商品の見本品または試供品のみを展示し、その展示品のそばにはその商品を示す商品名、写真、商品コード、商品の値段のついたカードを配置し、購入者が商品の代わりにそのカードをレジコーナーに持って行き、そのカードをレジコーナーにある読み取り用コンピューターにカードを読み取らせ、購入者がディスプレイに表示された合計金額を、現金やカードで支払うことによって精算を済ませると、それを受けてレジのコンピューターが倉庫を統括するコンピューターに指令を出し、それを受けた倉庫のコンピューターが指令された商品を倉庫から選択し、その商品がレジの前の商品受け取り口までベルトコンベアー等によって運ばれ、商品受け取り口に出てきたその商品を購入者が受け取ることで、販売が完了する小売販売システム。
【発明の詳細な説明】
【０００１】
【発明の属する技術分野】
本発明は商品販売システムに関する。
【０００２】
【従来の技術】
従来の小売店舗における商品販売は、商品を購入しようとする購入者は、商品陳列棚から、購入したい商品をかご等に欲しい数だけ入れ、最終的にそれをレジコーナー等に持って行き精算を行い、商品を購入する。従来の技術で商品を販売する場合の店舗の代表的な形態の模式図を図１に示す。
【０００３】
【発明が解決しようとする課題】
従来の技術では、商品を販売する側は、商品をある程度の数店頭に陳列しておかなければならない。そのため、万引き等による犯罪の被害による損失を受けるか、または防犯のための資金を出さなければならないという課題。
【０００４】
従来の販売システムでは、レジで会計を行う労働力、商品陳列にかかる労働力等に払う対価が販売のために必要な経費として存在してしまうという課題。
【０００５】
店舗のスペースには限りがあるため、どうしても商品を大量に、多種類のものを展示しようとすると、商品を展示するためのスペースが大きくなり、販売スペースにおける購入者が歩くことのできるスペースが狭くなってしまうという課題。
【０００６】
購入者は購入するすべての商品をかごに入れるなどして店内を徘徊しなければならず、購入しようとする商品が多くなるにつれて商品を持ち歩くことの負担が大きくなってしまうという課題。
【０００７】
【課題を解決するための手段】
まず、販売スペース１には販売する商品の代わりにその商品の見本品または試供品１１のみを置く。つまり販売スペース１には商品を１つしか置かないようにする。そしてそれ以外には商品を展示せず、代わりに、商品名・写真・商品コード・値段を記載したカード２６を在庫数を超えない枚数分、見本品または試供品１１のそばに配置する。
【０００８】
購入者は商品の代わりにそのカード２６をレジコーナー３に持っていき、そこでレジコーナー３に置かれた読み取り用コンピューター６にカード２６の情報を読み取らせる。そして購入者はそのコンピューター６がディスプレイ１６上に表示した合計金額を支払うことによって精算を済ませる。
【０００９】
それを受けてレジコーナー３の読み取り用コンピューター６は、倉庫内で在庫を統括するコンピューター７（以下、在庫統括コンピューター）に指令を出し、それを受けた在庫統括コンピューター７は指令された商品を倉庫から選択し、ベルトコンベアー等８を利用してレジコーナー３の商品受け取り口９まで運び、商品受け取り口９まで運ばれた商品１５を購入者が受け取ることで、販売が完了する。
【００１０】
このように販売スペース１に商品そのものをたくさん置かないことで万引き等による被害を防ぐことができる。
【００１１】
商品の陳列は倉庫スペース２の中で行われるため、店舗内で購入者（お客）を気にしながら行うよりはるかに効率が良くなり、また、倉庫スペース２内では陳列作業の簡略化が図れる事もあって、商品陳列にかかる労働力を大幅に削減することができる。
【００１２】
また、会計を全て読み取り用コンピューター６が行うため、従来のレジでのバーコード読み取り作業等の会計作業に関わる労働力も削減することができる。
【００１３】
また、商品を置くスペースは、商品一つ分で良いためかなり節減できる。
【００１４】
さらに購入者は、商品をかごに入れて運ぶ代わりに小さなカード２６を持ち運ぶため、商品を持ち運ぶ負担が小さくなる。
【００１５】
【発明の実施の形態】
本発明の示す販売システムの実施は以下に説明するような形態をとる。図６に概要を示すように、商品を買おうとする購入者が、購入しようとする商品を示すカード２６を商品の代わりにレジコーナー３まで持っていき、そこで精算を済ませ、商品を商品受け取り口９から受け取る事で販売を完了する。これが販売の大まかな流れである。以下に、この発明の実施の為に必要な詳細な説明を示す。
【００１６】
まず、商品の発注であるが、必要な商品を必要な数だけ発注するには、その商品カード２６を必要な数だけ発注先に渡す。それを受けた発注先はその商品を発注された数だけ店舗に届けると同時に、そのカード２６も店舗に返却する。
【００１７】
次に商品の在庫管理についてであるが、発注して店舗に届いた商品を倉庫スペース２のその商品専用の取り出し機２５に上から補充する。こうすると、古いものから販売する、いわゆる先入れ先だしが可能になる。そして在庫を補充した数だけ、販売スペース１の見本品又は試供品１１の前に、その商品を示すカード２６を陳列する。カード２６の陳列と見本品又は試供品１１の販売スペース１における展示の様子は図３に示す。
【００１８】
次に、販売スペース１に配置されるレジコーナー３の様子は図４に示す通りである。購入者は購入しようとするすべての商品のカード２６をカードリーダー１７に読み込ませる。読み込み用コンピューター６はカードリーダー１７から情報を受け、その合計金額を算出し、ディスプレイ１６上に表示する。購入者がその合計金額を硬貨投入口１８及び紙幣投入口１９に現金を投入して精算する、もしくはキャッシュカード投入口２０にキャッシュカードを投入して精算する事で精算をするなどしてとにかく精算を済ませると、読み取り用コンピューター６はカードリーダー１７が読み取った商品のみを運び出せという指令を在庫統括コンピューター７に送る。
【００１９】
倉庫内では、読み取り用コンピューター６から送られてきた指令通りに指示された商品の取り出し機２５のスイッチ２４をオンにする。
【００２０】
取り出し機２５はスイッチ２４がオンになるたびに商品を１つだけベルトコンベアー等８の上に送り出す仕組みである。同じ商品を２個購入する場合は、取り出し機２５を２回オンにする。
【００２１】
ベルトコンベアー等８は取り出し機２５から送り出された商品をレジコーナー３の商品受け取り口９まで運ぶ。購入者は商品受け取り口９まで運ばれた商品を各自で袋詰めする等して持ち帰る。
【００２２】
購入者は精算を終えた後の商品カード２６を、カード回収口２２に返却する。精算中の購入取り消し等で購入以外の目的でレジスペース３に商品カード２６が持ち運ばれた場合は、取り消しカード入れ２３にそのカードを入れる。取り消しカード入れ２３にカードがある場合は、店員がそのカードを元の場所に戻す。以上のような形態で、本発明は実施される。
【００２３】
【発明の効果】
従来の小売販売システムから、この発明を利用した小売販売システムに切り替える事により、万引きによる損失の防止や、労働力の削減、店舗の省スペース化、買い物客の負担削減、在庫データ管理の簡略化など、販売効率を上げるような効果がたくさん生まれる。
【図面の簡単な説明】
【図１】従来の小売店舗全体の見取り図である。
【図２】本発明の実施形態における、本発明を導入した場合の店舗全体の見取り図である。
【図３】本発明の実施形態における、本発明を導入した場合の商品を棚に展示した様子、及び商品の代わりに陳列するカードの概要図である。
【図４】本発明の実施形態における、購入者が商品カードの情報を読み取らせ、その会計の支払い、及び商品受け取りをする際のレジコーナーの概要図である。
【図５】本発明の実施形態における、倉庫統括コンピューターが読み取りコンピューターから指令を受け該当する商品を選択し、商品受け取り口まで送り出す場合の、倉庫スペースの概要図である。
【図６】本発明の実施形態における、商品購入までの流れの概要図である。
【符号の説明】
１　販売スペース
２　倉庫スペース
３　レジコーナー
４　商品陳列棚
５　出入り口
６　読み取り用コンピューター
７　在庫統括コンピューター
８　ベルトコンベアー等
９　商品受け取り口
１０　在庫商品
１１　試供品又は見本品
１２　商品の写真
１３　商品コード
１４　商品の値段
１５　購入された商品
１６　ディスプレイ
１７　カードリーダー
１８　硬貨投入口
１９　紙幣投入口
２０　キャッシュカード投入口
２１　商品受け取り口
２２　カード回収口
２３　取り消しカード入れ
２４　スイッチ
２５　取り出し機
２６　商品カード
【図１】
2004086820.tif 000003
【図２】
2004086820.tif 000004
【図３】
2004086820.tif 000005
【図４】
2004086820.tif 000006
【図５】
2004086820.tif 000007
【図６】
2004086820.tif 000008